(57)【要約】【課題】  製造のためのコストや手間をより抑えることが可能な包装済石鹸、包装済蝋燭、及びそれらの製造方法を提供する。【解決手段】予め外面に色や模様等の付された包装紙を円筒状に形成して成形型３とし、該成形型３内にノズル４から溶融状態の石鹸２を注入後、冷却・固化する。石鹸２が固化すると、包装紙の上方を石鹸２の上面に合わせて折り畳み、開口部にシール９を貼着して、包装済石鹸１は製造される。その際、利用する包装紙は、耐水性を有した複合紙であり、内面は樹脂でコーティングされている。また、包装紙はある程度剛性を有しており、外周を木枠等の型で支持しなくとも、注入した石鹸２をそのままの形状で保持可能となっている。【選択図】図１
2005162864.tif 000002
【特許請求の範囲】
【請求項１】
紙製の成形型に溶融状態の石鹸を注入して固化させ、固化後の石鹸を前記成形型によりそのまま包装することを特徴とする包装済石鹸の製造方法。
【請求項２】
紙製の成形型に溶融状態の蝋または鉱油を注入して固化させ、固化後の蝋または鉱油を前記成形型によりそのまま包装することを特徴とする包装済蝋燭の製造方法
【請求項３】
前記成形型の内面が樹脂でコーティングされている請求項１に記載の包装済石鹸の製造方法。
【請求項４】
前記成形型の内面が樹脂でコーティングされている請求項２に記載の包装済蝋燭の製造方法。
【請求項５】
請求項１または３に記載の製造方法を用いて製造される包装済石鹸。
【請求項６】
請求項２または４に記載の製造方法を用いて製造される包装済蝋燭。
【発明の詳細な説明】
【技術分野】
【０００１】
本発明は、より低コストで生産性の高い包装済石鹸、包装済蝋燭、及びそれらの製造方法に関するものである。
【背景技術】
【０００２】
従来より、石鹸を製造する一般的な方法として、脂肪酸、水酸化ナトリウム、及び水等を混練しペースト状とした後、プレス機等によって型打ちする方法が知られている。また、一組の割型を組み付けることでキャビティが形成される成形型に溶融状態の石鹸を充填し固化させた後、成形型から固化した石鹸を取り出す方法も知られている。そして、このような成形型を用いる製造方法の一例として、例えば特許文献１に開示されているような方法がある。
また、蝋燭を製造する方法としては、金属製等の硬質の成形型や弾性を有する成形型に溶融した蝋を流し込み、冷却し固化させた後、成形型から取り出す方法が知られており、そのような製造方法の一例として、例えば特許文献２に開示されているような方法がある。
【０００３】
【特許文献１】特開２００３−２７７７９９号公報
【特許文献２】特開平８−１８３９９１号公報
【０００４】
特許文献１に開示されている石鹸の製造方法は、一組の割型を組み付けて形成される成形型に溶融状態の石鹸を充填し、石鹸内部は表面のみ固化している状態の石鹸を、一方の割型に保持させた状態で成形型を型開し、石鹸を保持している割型から石鹸へと気体を吹き付けつつ、凹部を有する受け取り装置へと石鹸を受け渡すものである。また、石鹸へと気体を吹き付けるために、割型の石鹸保持面には微小孔又は微小幅のスリットを形成している。そして、そのように気体を吹き付けつつ石鹸を受け渡すことで内部が未固化状態の石鹸の破壊を防止しつつ、冷却時間の短縮により効率よく石鹸を製造しようとするものである。一方、特許文献２に開示されている蝋燭の製造方法は、金属製等の硬質の成形型に代えて弾性を有する成形型を利用した製造方法である。
そして、両製造方法により夫々製造される石鹸及び蝋燭を商品として販売する際には、石鹸及び蝋燭を合成樹脂製の袋や紙箱等で夫々包装する。
【発明の開示】
【発明が解決しようとする課題】
【０００５】
石鹸や蝋燭を製造する際に、一般的に用いられている金属製の成形型（特許文献１においても、成形型には金属等の剛体を用いている）や弾性を有する部材により形成される成形型は非常に高価なものである。まして特許文献１に開示されているような製造方法では、表面に気体を吹き付けるための微小孔等を形成する必要があり成形型の製造コストが更に高くなる上、周辺設備をも充実させなければならず、設備投資のための資金が非常に高くなる。したがって、製造する石鹸や蝋燭の数が少ない場合等には、特許文献１や特許文献２に開示されている方法を採用することはできない。
【０００６】
さらに、石鹸や蝋燭の表面にロゴマークや模様等を付けようとすると、従来の方法では、表面にロゴマーク等の形に合わせた凹凸部を有する成形型を準備するか、成形型から取り出した石鹸や蝋燭を削らなければならない。ここで、凹凸部を有する成形型を準備するとなると、上述したように成形型は非常に高価なものであるため、一度成形型を形成してしまうとロゴマークや模様等の変更に融通が利かない。さらにまた、固化した石鹸や蝋燭を削るとなると、削る手間やコストが余分に生じてしまう。
加えて、従来では石鹸や蝋燭を商品化する際に、成形型より取り出した後、再び包装を行う必要があり、ここでも余分な手間やコストが生じていた。
【０００７】
本発明は、上記問題点に鑑みなされたものであって、製造のためのコストや手間をより低く抑えることが可能な包装済石鹸、包装済蝋燭、及びそれらの製造方法を提供しようとするものである。
【課題を解決するための手段】
【０００８】
上記目的を達成するために、請求項１に記載の発明は、紙製の成形型に溶融状態の石鹸を注入して固化させ、固化後の石鹸を前記成形型によりそのまま包装することを特徴とするものである。
また、請求項２に記載の発明の構成は、紙製の成形型に溶融状態の蝋または鉱油を注入して固化させ、固化後の蝋または鉱油を前記成形型によりそのまま包装することを特徴とするものである。
さらに、請求項３及び４に記載の発明の構成は、石鹸や蝋燭を使用時等に成形型から取り出しやすくするために、前記成形型の内面が樹脂でコーティングされていることにある。
さらにまた、請求項５に記載の発明は、請求項１または３に記載の製造方法を用いて製造される包装済石鹸である。
加えて、請求項６に記載の発明は、請求項２または４に記載の製造方法を用いて製造される包装済蝋燭である。
【発明の効果】
【０００９】
本発明によれば、紙製の成形型を利用するため、非常に低コストで包装済石鹸または包装済蝋燭を製造することができる。また、成形型をそのまま包装紙として利用するため、固化した石鹸または蝋燭を成形型から一々取り出す手間を省くことができ、包装済石鹸や包装済蝋燭の生産性を高めることができる。さらに、成形型を包装紙としても利用することで、ゴミの削減や資源の有効利用をも図ることができる。
さらにまた、成形型の内面を樹脂によりコーティングしているため、使用時に石鹸や蝋燭をスムーズに取り出すことができる。加えて、石鹸や蝋燭の表面を滑らかに仕上げることができる。
【発明を実施するための最良の形態】
【００１０】
以下、本発明の一実施形態となる包装済石鹸及び包装済石鹸の製造方法を実施例１として、包装済蝋燭及び包装済蝋燭の製造方法を実施例２として夫々説明する。
【００１１】
（実施例１）
図１（ａ）は本発明に係る包装済石鹸１の製造方法を示す説明図であり、図１（ｂ）は製造された包装済石鹸１の外観を示す説明図である。また、図２は成形型（包装紙）３を破って石鹸２を取り出した状態を示す説明図である。さらに、図３（ａ）は成形型３の底面に模様等の凹凸１０を付ける方法を示す説明図であり、図３（ｂ）は成形型３の底面に凹凸１０が付けられた状態を示す説明図である。
図１（ａ）に示されているように、包装済石鹸１は、予め模様等が付された包装紙を円筒状に形成して成形型３とし、該成形型３内にノズル４から溶融状態の石鹸２を注入後、冷却・固化して製造される。石鹸２が固化すると、図１（ｂ）に示されているように、包装紙の上方を石鹸２の上面に合わせて折り畳み、開口部にシール９を貼着して、包装済石鹸１を仕上げる。
【００１２】
石鹸２は、脂肪酸を含む油と、精製水を用いて作られた水酸化ナトリウム（ＮａＯＨ）水溶液とを混合・攪拌したものである。
【００１３】
成形型３となる包装紙は耐水性を有した複合紙であり、内面は樹脂でコーティングされている。また、包装紙はある程度剛性を有しており、外周を木枠等の型で支持しなくとも、注入した石鹸２をそのままの形状で保持可能となっている。
【００１４】
このような石鹸２にロゴマーク等の何か凹凸模様を付けたい場合には、図３に示されているように、上面に凹凸模様１０を設けた木、ゴム、合成樹脂製等の型台８に石鹸２注入前の成形型３の底面を押し付ければよい。成形型３は紙製であるため、そのように押し付けるだけで、成形型３にも凹凸模様１０を付けることが可能である。そして、凹凸模様１０のついた成形型３に溶融状態の石鹸２を注入し、固化させれば表面に凹凸模様１０の付いた石鹸２を製造することができる。尚、成形型３の底面以外の側面等であっても凹凸模様１０を付けることは当然可能であるし、複数箇所に凹凸模様１０を付けても何ら問題はない。
【００１５】
上述したような包装紙となる紙製の成形型３に直接石鹸２を注入する方法とすることで、金属製等の成形型を用いる方法に比べて非常に低コストで石鹸２を製造することができる。また、成形型３の上部を折り畳んでシール９を貼着するだけで包装可能であるため、成形型３より石鹸２を一々取り出して、再び包装する手間を省くことが可能となり、包装済石鹸１の生産性をより高めることができる。加えて、包装紙を成形型３として利用するためゴミの削減や資源の有効利用にもなる。
また、凹凸模様１０を設けられた型台８を石鹸２注入前の成形型３の底面に押し付けるだけで、石鹸２の表面に凹凸模様１０を付けることができるため、凹凸模様１０を付ける作業が非常に容易なものとなる。さらに、型台８を用いて凹凸模様１０を付けるため、凹凸模様１０を付ける位置を変更したい場合等には即対応可能である。さらにまた、凹凸模様１０自体を変更したい場合であっても、型台８を別の凹凸模様１０がついたものに変更すればよく、金属製の成形型を再び形成することに比べればコストをそれほど必要としない。加えて、包装紙にも直接凹凸模様を付けることになるため、その凹凸模様１０を包装紙のデザインとしても利用でき、より見栄えの良い包装済石鹸１を提供することが可能となる。
【００１６】
さらに、成形型３の内面は樹脂でコーティングされているため、図２に示されているように、使用時に石鹸２を取り出す際に取り出しやすくなっている。さらにまた、成形型３の内面をコーティングすることにより、石鹸２の表面を滑らかに仕上げることができる。
【００１７】
（実施例２）
次に、包装済蝋燭５、及び包装済蝋燭５の製造方法を図４を用いて説明する。図４は包装済蝋燭５を示す説明図である。
包装済蝋燭５も、上述した包装済石鹸１と同様に製造されるものであり、円筒状に形成された包装紙を成形型３とし、その成形型３内に溶融状態の蝋６を注入し、冷却・固化して製造される。尚、予め成形型の中央には亜麻糸により形成された芯７が略垂直となるように設置されている。芯７は、それ自体が燃えてしまわないように蝋等によりコーティングされている。
【００１８】
包装紙は、実施例１において用いられたものと同様のものであり、凹凸模様１０の付いた型台８を用いれば、蝋６に凹凸模様１０を付けることは当然可能である。また、芯７に点火して使用する際には、包装紙３から取り出してもよいが、取り出さずにそのまま使用してもよい。尚、取り出さずに使用する場合には、包装紙３の上部を切り取ったり、外側に折り曲げる等して包装紙３に火が燃え移りにくい状態とすることができる。
【００１９】
以上のような方法で包装済蝋燭５を製造することにより、金属製や弾性部材により形成された成形型を用いる方法に比べて非常に低コスト化することができる。また、成形型３より取り出した蝋燭を再び包装する手間がかからないため、包装済蝋燭５の生産性をより高めることができる。また、包装紙を成形型３として利用しているため、ゴミの削減や資源の有効利用にもなる。
さらに、凹凸模様１０の付いた型台８を用いるだけで、非常に簡単に凹凸模様１０を表面に付けることができる。
【００２０】
本発明に係る包装済石鹸、包装済蝋燭、及びそれらの製造方法は、上記実施形態の態様に何ら限定されるものではなく、石鹸、蝋、包装紙等の形状、材料等の構成を本発明の趣旨を逸脱しない範囲内で適宜変更することができる。
例えば、蝋燭にもシールを貼着してもよいし、逆に石鹸にシールを貼着しなくてもよい。また、包装紙により成形型を形成する方法を工夫することで、開口部を蓋するための外蓋を一体的に有する成形型とすることもできる。さらに、外蓋となる部分を予め備えた包装紙を利用してもよい。加えて、蝋燭に利用する場合に包装紙の上部を切り取りやすくするために、包装紙の蝋燭の上面となる箇所に沿ってミシン目等を設けてもよい。
【００２１】
また、成形型とする包装紙の強度に不安がある場合には、包装紙の外周を木枠等の型で支持するようにしてもよい。さらに、成形型を円筒状のものとしたが、角筒状や楕円筒状、球状等の成形型としても何ら問題はない。加えて、石鹸を製造する場合に、成形型の内面を樹脂等でコーティングせずに、成形型となる包装紙に通気性のある素材を用いれば、成形型内で石鹸を乾燥・熟成させることも可能である。
さらにまた、上記実施形態において、石鹸及び蝋の注入前に型台に押し付けるようにしたが、石鹸及び蝋の注入後固化する前に押し付けるようにしてもよいし、型台とはせずにハンコのようなもので模様を付けるようにしてもよい。また、凹凸模様の柄を会社名やロゴマークとしても何ら問題はない。
【００２２】
加えて、蝋燭の材料として、常温では固体の鉱油を蝋の代わりに用いてもよい。
また、成形型の内面を樹脂でコーティングする代わりに、油紙等を敷くようにすることも可能である。さらに、蝋燭の包装に用いる包装紙は耐火性のものとしてもよい。
【図面の簡単な説明】
【００２３】
【図１】（ａ）は包装済石鹸の製造方法を示す説明図であり、（ｂ）は製造された包装済石鹸の外観を示す説明図である。
【図２】成形型を破って石鹸を取り出した状態を示す説明図である。
【図３】（ａ）は成形型の底面に凹凸模様を付ける方法を示す説明図であり、（ｂ）は成形型の底面に凹凸模様が付けられた状態を示す説明図である。
【図４】包装済蝋燭を示す説明図である。
【符号の説明】
【００２４】
１・・包装済石鹸、２・・石鹸、３・・包装紙、４・・ノズル、５・・包装済蝋燭、６・・蝋、７・・芯、８・・型台、９・・シール、１０・・凹凸模様。
【図１】
2005162864.tif 000003
【図２】
2005162864.tif 000004
【図３】
2005162864.tif 000005
【図４】
2005162864.tif 000006